(57)【要約】【課題】１つの装置で温ミストと冷ミストを自由に組み合わせて使用できる温冷ミスト器を提供する。【解決手段】１つの水タンク１と、水タンク１に接続する温ミスト発生部２と、水タンク１と一体の冷ミスト発生部３で構成し、マイコン制御により温ミストと冷ミストを同時または交互または選択的に２つのノズル４、５から排出する。【選択図】図１
2008295467.tif 000002
【特許請求の範囲】
【請求項１】
１つの水タンクの外側と内側に、水タンクに接続する温ミスト発生部と、水タンクと一体の冷ミスト発生部をそれぞれ配置し、
温ミスト発生部にはヒータで加熱するボイラー室を備え、
このボイラー室に水タンクの水を導き、沸騰させて温ミストを生成すると共に、
冷ミスト発生部には超音波素子を備えて超音波で水タンクの水を気化させて冷ミストを生成し、
生成した温ミストと冷ミストをそれぞれ温ミスト発生部と冷ミスト発生部の先端に取り付けた個別のノズルから同時または交互または選択的に排出することを特徴とする温冷ミスト器。
【請求項２】
前記ボイラー室とノズルの間には湯溜り室を設け、
この湯溜り室の底面を開口して湯滴をボイラー室の入口に戻す湯路に接続することを特徴とする請求項１記載の温冷ミスト器。
【請求項３】
前記ボイラー室が薄型の箱の壁面に面状のヒータを張り付けたものであることを特徴とする請求項１記載の温冷ミスト器。
【請求項４】
前記ヒータがＰＴＣヒータであることを特徴とする請求項１記載の温冷ミスト器。
【請求項５】
前記冷ミスト発生部が水タンクの天井から垂下した仕切り板によって冷ミスト発生部とその他の区画に区切られ、
仕切り板の下端を水タンクの底面よりも浮かせて冷ミスト発生部とその他の区画を下部で連通するようにしたことを特徴とする請求項１記載の温冷ミスト器。
【請求項６】
前記水タンクに給水路と排水路を接続し、
給水路の先を分岐させて一方をボイラー室の入口に接続し、
他方を排水路の途中に接続して排水時にボイラー室の高温水と水タンクの低温水を混合させることを特徴とする請求項１記載の温冷ミスト器。
【請求項７】
前記水タンク内に水の有無を検知するセンサを設置し、
このセンサが水タンクの冷ミスト発生部以外の区画に配置されるものであることを特徴とする請求項１記載の温冷ミスト器。
【請求項８】
前記ボイラー室とノズルの間には放電用の電極を取り付け、
この電極に温ミスト以外の沸騰水が触れるのを防ぐ遮蔽板が備えられていることを特徴とする請求項１記載の温冷ミスト器。
【発明の詳細な説明】
【技術分野】
【０００１】
本発明は、２つのノズルを設けて温ミストと冷ミストを同時または交互または選択的に排出する温冷ミスト器に関する。
【背景技術】
【０００２】
温ミストを皮膚に当てると毛穴を開いて肌の汚れを取り除く効果があり、冷ミストを皮膚に当てると毛穴を閉じて肌を引き締める効果がある。また、温ミストと冷ミストを交互に皮膚に当て、それを繰り返すと肌につやを出す効果がある。
このように温のみ、冷のみ、温冷同時、またはそれらを自由に組み合わせることで温冷のミストを個々に使用する以上の効果を期待できる。
【０００３】
しかしながら１つの装置で温ミストと冷ミストを自由に組み合わせて使用できるものは未だ製品化されておらず、温冷のミストを組み合わせて使用する場合、従来は温ミストを排出するスチーマと冷却した金属片を併用して交互に使うことで温冷の組み合わせを実現していた。
この場合、金属片を手に持って使用する必要がある、金属アレルギーを発症する可能性がある、温冷の切り替えに時間を要するなどの理由で使用が難しかった。
【発明の開示】
【発明が解決しようとする課題】
【０００４】
解決しようとする問題点は以上のような点であり、本発明は、１つの装置で温ミストと冷ミストを自由に組み合わせて使用できる温冷ミスト器を提供することを目的になされたものである。
【課題を解決するための手段】
【０００５】
そのため本発明は、１つの水タンクの外側と内側に水タンクに接続する温ミスト発生部と水タンクと一体の冷ミスト発生部をそれぞれ配置し、温ミスト発生部にはヒータで加熱するボイラー室を備え、このボイラー室に水タンクの水を導き、沸騰させて温ミストを生成すると共に、冷ミスト発生部には超音波素子を備えて超音波で水タンクの水を気化させて冷ミストを生成し、生成した温ミストと冷ミストをそれぞれ温ミスト発生部と冷ミスト発生部の先端に取り付けた個別のノズルから同時または交互または選択的に排出することを最も主要な特徴とする。
【発明の効果】
【０００６】
本発明は、水タンクに接続する温ミスト発生部と水タンクと一体の冷ミスト発生部で生成した温ミストと冷ミストをそれぞれ温ミスト発生部と冷ミスト発生部の先端に取り付けた個別のノズルから同時または交互または選択的に排出するので、１つの装置で温ミストと冷ミストの両方を自由に組み合わせて使用できるようになる。
【発明を実施するための最良の形態】
【０００７】
以下、本発明の実施の形態について説明する。
【０００８】
図１に、本発明を実施した温冷ミスト器の構成図を示す。
温冷ミスト器は、１つの水タンク１と、水タンク１に接続する温ミスト発生部２と、水タンク１と一体の冷ミスト発生部３で構成し、マイコン制御により温ミストと冷ミストを同時または交互または選択的に２つのノズル４、５から排出する。
ノズル４、５は回転可能に取り付けて手動で排出するミストの方向を変えられるようにする。
水タンク１は、天井から２枚の仕切り板１１を垂下して冷ミスト発生部３とそれ以外の区画に区分し、それ以外の区画の上面を開口して給水口１２を設け、底面を開口して縦方向の給水路１３に接続する。
また、冷ミスト発生部３を形成する水タンク１の底面を開口して縦方向の残水の排水路１４に接続する。
さらに縦方向の給水路１３の先端を左右に分岐して横方向の通水路１５を設け、通水路１５の一方を温ミスト発生部２のボイラー室２１の入口に接続し、他方を水抜き弁Ｖを介して縦方向の排水路１４の途中に合流接続する。
これより残水を排水する際、ボイラー室２１の高温水と冷ミスト発生部３の低温水を混合した上で外部に排出するので、排水の温度をやけどしない程度まで下げることができ、安全性を高めることができる。
水タンク１には図示しないナノ銀抗菌剤含有の樹脂から成るナノ銀フィルタを設置してタンク内の水（原水）を滅菌する。
【０００９】
仕切り板１１は、上端を水タンク１の天井に接し、下端を水タンク１の床から浮いた状態で取り付け、冷ミスト発生部３とそれ以外の区画の水面から下を連通させる。
これにより１つの水タンク１から温ミスト発生部２と冷ミスト発生部３の両方へ同時に水を供給できるようになり、水タンク１を個別に設けた場合、片方が空になるとミストの一方が出なくなる不具合を回避できる。
給水口１２には、逆さまに取り付けた給水ボトル６の開口部を接続する。
給水路１３は、冷ミスト発生部３から離れた位置に設置し、給水路１３と冷ミスト発生部３の間を２枚の仕切り板１１で隔離する。
水タンク１の冷ミスト発生部３以外の区画には、水位センサ７を取り付けてタンク内の水の有無を電気的に検知する。
水位センサ７は、２つの金属端子でスイッチを構成し、２つの金属端子が水で短絡状態のときは「水あり」と判断する。
【００１０】
水タンク１を仕切り板１１で区切ることにより、次のような効果が得られる。
（１）冷ミスト発生部３の水面から上の容積を狭くして冷ミストの散逸を防ぎ、ノズル５からの冷ミスト噴き出しまでの時間を短縮する。
（２）温ミスト発生部２のボイラー室２１との間を空けて対流による冷ミスト発生部３の水温の上昇を抑える。
（３）超音波によって発生する泡の冷ミスト発生部３以外の区画への侵入を防ぐ。
（４）外部からの振動や衝撃によって起こる波による水面の変動を抑える。
（５）（３）、（４）により泡や波などのノイズによる誤作動を防止して水位センサ７の精度を高める。
【００１１】
温ミスト発生部２は、ボイラー室２１の入口に水タンク１に連通する通水路１５の一端を接続する構造で、ボイラー室２１に導いた水をヒータ２２で沸騰させて温ミストを生成し、蒸気圧で送風して通気管２３の先のノズル４から噴出させる。
ボイラー室２１と通気管２３の間には湯溜り室２４を設け、湯滴がノズル４から放出しないようにして安全性を高める。
湯溜り室２４は、底面を開口して湯滴をノズル４に上げずにボイラー室２１に戻す湯路２５に接続し、湯路２５の終端を通水路１５を介してボイラー室２１の入口に接続する。
ヒータ２２には、速熱性、省エネ性、均一性に優れ、ＰＴＣ抵抗体を配置した面状のＰＴＣヒータを用い、それをボイラー室２１の壁面に張り付けて使用する。
さらにボイラー室２１を薄型化して沸騰時間を短縮し、ノズル４からの温ミストの噴出を迅速にする。
ヒータ２２には温度センサ２６を取り付けてボイラー室２１が過度に熱せられないようにする。
通気管２３の内側には一対の電極２７を取り付け、電極２７間に高電圧を印加して放電を発生し、通気管２３を通る温ミストの脱臭と滅菌を行う。
また、図示しない遮蔽板を設けて電極２７に温ミスト以外の沸騰水などが直接触れないようにする。
【００１２】
冷ミスト発生部３は、水タンク１の底面に超音波素子３１を取り付ける構造で、超音波でタンク内の水を気化させて冷ミストを生成する。
また水タンク１の底面に、冷却手段としてペルチェ素子３４を設けている。このペルチェ素子３４の冷却側を水タンク１に取り付けてタンク内の水を冷却し、ペルチェ素子３４の放熱側にはヒートシンクなどからなる放熱部材３５を取り付ける。
水タンク１に冷却手段を設けたことにより、充分に冷やした水を気化させて冷ミストを生成し、この冷ミストによって効果的な肌の引き締め作用を得ることができる。
図１においては、ペルチェ素子を水タンク１の底面に取り付けているが、側面に取り付ける構成としてもよい。
【００１３】
冷ミストは、図２に示すように、ファン８で送風して通気管３２の先のノズル５から噴出させる。
通気管３２または水タンク１の内側にはＵＶランプ３３を取り付け、紫外線により冷ミストを滅菌する。
【００１４】
また、図３に示すように、ファン８からの送風路を分岐して放熱部材３５にも送風するように構成してもよい。図３は、ファンの別の実施形態を示す側面視構成図である。
放熱部材３５への送風は、図３に示したような、ファン８から通気管３２への送風路を分岐して送風する構成としてもよいし、ファン８とは別のファンを設けて、この別のファンで送風してもよい。
ファンで送風することにより、放熱部材３５に空気をあてて放熱を促進し、ペルチェ素子による充分な冷却効果を得ることができる。
【００１５】
また、図４に示すように、ファン８によって放熱部材３５に送風した空気を、さらに温ミスト発生部２に送風するように構成してもよい。図４はファンのさらに別の実施形態を示す正面視構成図である。
温ミスト発生部２の周囲に、放熱部材３５により温められた空気を送風することにより、ヒータ２２の温度立上り特性の向上を図ると共に、温ミストを効率的に生成してノズルより噴出させることができる。
【００１６】
図５は、別の実施形態の温冷ミスト器の正面視構成図である。この図５に示すごとく、通水路１５にはボイラー室２１の入口側から水抜き弁Ｖに向かって下りの傾斜を設けてもよい。
これにより、水抜き弁Ｖより残水を排水する際に、温ミスト発生部２の高温水を確実に全て排出することができると共に、ボイラー室２１で熱された高温水の水タンク１への逆流を抑制して、効率よく温ミストと冷ミストを発生させることができる。
【００１７】
また、図５においては、ペルチェ素子３４と放熱部材３５からなる冷却手段を通気筒３２に設けている。通気筒３に冷却手段を設けたことにより、生成した冷ミストを効率的に冷やすと共に、充分に冷やした冷ミストによって効果的な肌の引き締め作用を得ることができる。
【図面の簡単な説明】
【００１８】
【図１】本発明を実施した温冷ミスト器の正面視構成図である。
【図２】冷ミスト発生部の側面視構成図である。
【図３】ファンの別の実施形態を示す側面視構成図である。
【図４】ファンのさらに別の実施形態を示す正面視構成図である。
【図５】温冷ミスト器の別の実施形態を示す正面視構成図である。
【符号の説明】
【００１９】
１            水タンク
１１          仕切り板
１２          給水口
１３          給水路
１４          排水路
１５          通水路
２            温ミスト発生部
２１          ボイラー室
２２          ヒータ
２３          通気管
２４          湯溜り室
２５          湯路
２６          温度センサ
２７          電極
３            冷ミスト発生部
３１          超音波素子
３２          通気管
３３          ＵＶランプ
３４          ペルチェ素子
３５          放熱部材
４            温ミスト用ノズル
５            冷ミスト用ノズル
６            給水ボトル
７            水位センサ
８            ファン
Ｖ            水抜き弁
【図１】
2008295467.tif 000003
【図２】
2008295467.tif 000004
【図３】
2008295467.tif 000005
【図４】
2008295467.tif 000006
【図５】
2008295467.tif 000007